(57)【要約】【課題】外扉に変位が生じた場合であっても気密性を一定に確保し得るエレベーター装置を提案する。【解決手段】かご室内の気密性を確保するための構造を有する救出口装置において、かご室の側壁に形成された開口部に開閉可能に設置される救出扉と、救出扉の端部に設置される外扉側パッキンと、開口部の端部に設置される外壁側パッキンとを備え、救出扉が閉鎖状態の場合、外扉側パッキンと外壁側パッキンとは互いに対向する方向に押圧して密着し、外扉側パッキンと開口部の端部とは互いに対向する方向に押圧して密着し、救出扉が閉鎖状態の位置から変位した場合、外扉側パッキンと外壁側パッキンとの間又は外扉側パッキンと開口部の端部との間のうち、少なくとも何れか一方の間の密着状態が維持されることを特徴とする。【選択図】図２
2015157675.tif 000002
【特許請求の範囲】
【請求項１】
かご室内の気密性を確保するための構造を有する救出口装置において、
前記かご室の側壁に形成された開口部に開閉可能に設置される救出扉と、
前記救出扉の端部に設置される外扉側パッキンと、
前記開口部の端部に設置される外壁側パッキンとを備え、
前記救出扉が閉鎖状態の場合、
前記外扉側パッキンと前記外壁側パッキンとは互いに対向する方向に押圧して密着し、
前記外扉側パッキンと前記開口部の端部とは互いに対向する方向に押圧して密着し、
前記救出扉が前記閉鎖状態の位置から変位した場合、
前記外扉側パッキンと前記外壁側パッキンとの間又は前記外扉側パッキンと前記開口部の端部との間のうち、少なくとも何れか一方の間の密着状態が維持される
ことを特徴とする救出口装置。
【請求項２】
前記救出扉は、前記かご室の内側に面した内扉及び外側に面した外扉から構成され、
前記外扉側パッキンは、前記外扉の端部に設置され、
前記開口部は、前記かご室の内側に面した内壁及び外側に面した外壁から構成され、
前記外壁側パッキンは、前記外壁の端部に設置される
ことを特徴とする請求項１に記載の救出口装置。
【請求項３】
前記外扉側パッキンは、
前記救出扉の両端部に設置され、前記救出扉が前記かご室の内側に開放された場合に前記かご室の内側に移動する第１の外扉側パッキンと、前記かご室の外側に移動する第２の外扉側パッキンとから構成され、
前記外壁側パッキンは、
前記開口部の両端部に設置され、前記救出扉が閉鎖された場合に前記第１の外扉側パッキンに対向する第１の外壁側パッキンと、前記第２の外扉側パッキンに対向する第２の外壁側パッキンとから構成され、
前記救出扉が前記閉鎖状態の位置から前記かご室の内側方向に変位した場合、
前記第１の外扉側パッキンと前記第１の外壁側パッキンとの間の密着状態が維持され、
前記救出扉が前記閉鎖状態の位置から前記かご室の外側方向に変位した場合、
前記第２の外扉側パッキンと前記第２の外壁側パッキンとの間の密着状態が維持され、
前記救出扉が前記閉鎖状態の位置から前記かご室の内外側方向とは垂直方向に変位した場合、
前記第１の外扉側パッキンと前記開口部の端部との間の密着状態が維持される
ことを特徴とする請求項１又は２に記載の救出口装置。
【請求項４】
前記外扉側パッキン及び前記外壁側パッキンは、
中実又は中空構造を有するゴムである
ことを特徴とする請求項１〜３の何れか一項に記載の救出口装置。
【請求項５】
かご室内の気密性を確保するための構造を有する救出口装置を備えたエレベーター装置において、
前記救出口装置は、
前記かご室の側壁に形成された開口部に開閉可能に設置される救出扉と、
前記救出扉の端部に設置される外扉側パッキンと、
前記開口部の端部に設置される外壁側パッキンとを備え、
前記救出扉が閉鎖状態の場合、
前記外扉側パッキンと前記外壁側パッキンとは互いに対向する方向に押圧して密着し、
前記外扉側パッキンと前記開口部の端部とは互いに対向する方向に押圧して密着し、
前記救出扉が前記閉鎖状態の位置から変位した場合、
前記外扉側パッキンと前記外壁側パッキンとの間又は前記外扉側パッキンと前記開口部の端部との間のうち、少なくとも何れか一方の間の密着状態が維持される
ことを特徴とするエレベーター装置。
【発明の詳細な説明】
【技術分野】
【０００１】
本発明は、救出口装置及びエレベーター装置に関する。
【背景技術】
【０００２】
従来、気密性を要するエレベーター装置においてかご室は、内壁及び外壁から構成される多重構造を有し、またかご室に設けられた救出口装置も内扉及び外扉から構成される多重構造を有するものがある。このようにかご室及び救出口装置の構造を多重構造にすることで、かご室内の気密性を確保することができる。
【０００３】
なおかご室内の気密性を確保することにより、かご室内の気圧制御を行うことができるようになり、またかご室の遮音性を向上させることができる。かご室内の気密性を確保するための構造については、例えば特許文献１〜４に開示されている。
【０００４】
特許文献１には、かご室の内部と外部との間の非常口を介した通気経路を塞ぐようにして気密材を設けた非常扉の構造が開示されている。また特許文献２には、かご室の内外で気圧差が生じて外戸がパッキンから離れる方向に圧力を受けた場合であっても、パッキンから離れる方向への外戸の変位を外戸の移動方向に沿ったレール溝の規制により阻止し、外戸と外パネルとの間に隙間が生じることを防止する構造が開示されている。
【０００５】
また特許文献３には、内扉と外扉との多重構造により構成された扉において、外扉とかご室壁の開口部との隙間には遮音部材かつ気密部材を設け、内扉とかご室内壁との間には通気路を形成した構造が開示されている。また特許文献４には、騒音の侵入経路であるヒンジ部分の隙間を極力小さくすると同時に隙間の長さをできるだけ長くするようにした騒音遮断構造が開示されている。
【先行技術文献】
【特許文献】
【０００６】
【特許文献１】特開２０１３−１４６４号公報
【特許文献２】特開２０１２−１３１５８３号公報
【特許文献３】特開２００２−１６０８７４号公報
【特許文献４】実開昭５７−１８４８６９号公報
【発明の概要】
【発明が解決しようとする課題】
【０００７】
しかし特許文献１〜４に記載の構造を有する救出口装置は何れも、かご室内外で気圧差が生じて外扉が変位した場合において、外扉に設けられた気密部材（例えばパッキン）と、この気密部材に隣接する隣接部材との間の接触条件が変化した場合（例えば隙間が生じた場合）にかご室内の気密性を一定に確保することができないという課題がある。
【０００８】
なお特許文献２には、外戸の変位を阻止することにより外戸と外パネルとの間に隙間が生じることを防止する構造が開示されているが、昇降速度が増加傾向にある近年のエレベーター装置においては、かご室内の気圧変化の度合いは非常に大きく、外戸の変位を完全に阻止することは難しい。
【０００９】
本発明は以上の点を考慮してなされたもので、救出口装置の外扉に変位が生じた場合であっても、かご室内の気密性を一定に確保し得る救出口装置及びエレベーター装置を提案するものである。
【課題を解決するための手段】
【００１０】
かかる課題を解決するために、本発明においては、かご室内の気密性を確保するための構造を有する救出口装置において、かご室の側壁に形成された開口部に開閉可能に設置される救出扉と、救出扉の端部に設置される外扉側パッキンと、開口部の端部に設置される外壁側パッキンとを備え、救出扉が閉鎖状態の場合、外扉側パッキンと外壁側パッキンとは互いに対向する方向に押圧して密着し、外扉側パッキンと開口部の端部とは互いに対向する方向に押圧して密着し、救出扉が閉鎖状態の位置から変位した場合、外扉側パッキンと外壁側パッキンとの間又は外扉側パッキンと開口部の端部との間のうち、少なくとも何れか一方の間の密着状態が維持されることを特徴とする。
ことを特徴とする。
【００１１】
またかかる課題を解決するために、本発明においては、かご室内の気密性を確保するための構造を有する救出口装置を備えたエレベーター装置において、救出口装置は、かご室の側壁に形成された開口部に開閉可能に設置される救出扉と、救出扉の端部に設置される外扉側パッキンと、開口部の端部に設置される外壁側パッキンとを備え、救出扉が閉鎖状態の場合、外扉側パッキンと外壁側パッキンとは互いに対向する方向に押圧して密着し、外扉側パッキンと開口部の端部とは互いに対向する方向に押圧して密着し、救出扉が閉鎖状態の位置から変位した場合、外扉側パッキンと外壁側パッキンとの間又は外扉側パッキンと開口部の端部との間のうち、少なくとも何れか一方の間の密着状態が維持されることを特徴とする。
【発明の効果】
【００１２】
本発明によれば、救出口装置の外扉に変位が生じた場合であっても、かご室内の気密性を一定に確保することができる。
【図面の簡単な説明】
【００１３】
【図１】エレベーター装置の全体構成図である。
【図２】救出口装置の断面構成図である。
【図３】接触部分の拡大構成図である。
【図４】救出口装置の側面構成図である。
【図５】救出口装置の正面構成図である。
【発明を実施するための形態】
【００１４】
以下図面について、本発明の一実施の形態を詳述する。
【００１５】
（１）全体構成
図１は、本実施の形態におけるエレベーター装置１の全体構成を示す。エレベーター装置１は、かご室１０、ガイド装置２０及び救出口装置３０等を備えて構成される。
【００１６】
かご室１０は、乗客を収容して所望のフロアに運ぶために昇降路内（図示省略）を昇降動作する箱状の移動体である。かご室１０は、かご室１０の内側に面した内壁と、かご室１０の外側（昇降路側）に面した外壁とからなる２重構造を有する。
【００１７】
ガイド装置２０は、かご室１０の上下左右に設置される枠と複数のローラとから構成される案内部材である。ガイド装置２０は、昇降路内の昇降方向に設けられたガイドレール（図示省略）と係合し、このガイドレールに沿ってかご室１０の昇降動作を案内する。
【００１８】
救出口装置３０は、停電や火災等の障害時に乗客をかご室１０の外に避難させる避難用の部材であり、かご室１０の何れかの側壁に設置される。救出口装置３０の詳細については後述する（図２〜図５）。
【００１９】
（２）救出口装置の構成
図２は、図１のＸ方向から見たときの救出口装置３０の断面構成を示す。救出口装置３０は、内壁３１、外壁３２及び救出扉３３から構成される。内壁３１及び外壁３２は、かご室１０の側壁の一部である。これら内壁３１及び外壁３２は、救出扉３３の配置箇所に開口部を設けて構成され、救出扉３３が開放された場合に救出口３４を形成する。
【００２０】
外壁３２の端部であり救出口３４の内周部を形成する第１の外壁端部３２１は、係止部材３２２及び外壁側パッキン３２３を設けて構成される。係止部材３２２は、救出扉３３が閉鎖された場合に固定部３３４と係合し、固定部３３４及び外扉３３２に挟持されることにより救出扉３３の閉鎖状態を保持する。
【００２１】
外壁側パッキン３２３は、第１の外壁端部３２１以外に第２の外壁端部３２４にも設けられる。外壁側パッキン３２３は、中実又は中空構造を有するゴム等の弾性部材である。この外壁側パッキン３２３は、救出扉３３が閉鎖状態の場合、後述する外扉側パッキン３３８と摺動及び密着することになるが、作用の詳細については後述する（図３）。
【００２２】
また救出扉３３は、内扉３３１及び外扉３３２から構成される。すなわち救出扉３３もかご室１０と同様、内扉３３１及び外扉３３２からなる２重構造を有する。この救出扉３３は、内壁３１及び外壁３２が形成する救出口３４において開閉可能に設置される。
【００２３】
救出扉３３を開放させる操作についてここで簡単に説明する。まず外扉３３２に設けられた取手３３３を回すと、取手３３３の回転動作に連動して固定部３３４を回転し、固定部３３４と係止部材３２２との係合状態を解除することができる。次いで外扉３３２をかご室１０の内側に向けて一定の力で押すと、ヒンジ３３５を軸にして、救出扉３３をかご室１０の内側に開放させることができる。
【００２４】
救出扉３３を閉鎖させる場合には、上記説明した開放させる操作と逆の操作を行うことで救出扉３３を閉鎖させることができる。また救出扉３３を閉鎖させた後、内扉３３１及び外扉３３２に貫通して設けられる鍵穴３３６に鍵３３７を挿入して、所定方向に回転させると、取手３３３の回転動作を制限することができる。
【００２５】
救出扉３３の外扉３３２は、両端部に外扉側パッキン３３８を設けて構成される。外扉側パッキン３３８は、中実又は中空構造を有するゴム等の弾性部材である。この外扉側パッキン３３８は、救出扉３３が閉鎖状態の場合、外壁側パッキン３２３と摺動及び密着することになるが、作用の詳細については後述する（図３）。
【００２６】
図３は、外壁側パッキン３２３及び外扉側パッキン３３８の接触部分の拡大構成を示す。ここでは第１の外壁端部３２１に設けられた外壁側パッキン３２３と、外扉３３２の一端に設けられた外扉側パッキン３３８との間の構成及び作用について説明する。
【００２７】
図３は救出扉３３が閉鎖する直前の構成を示しており、この後、救出扉３３が閉鎖する方向であるＡ方向に移動して閉鎖状態になる。この閉鎖直前から閉鎖までの間、外壁側パッキン３２３と外扉側パッキン３３８とが摺動する。
【００２８】
救出扉３３が閉鎖状態においては、外扉側パッキン３３８と外壁側パッキン３２３とが互いに対向する方向に押圧して密着するとともに、外扉側パッキン３３８と第１の外壁端部３２１とが互いに対向する方向に押圧して密着する状態となる。このときのかご室１０内は、外壁側パッキン３２３及び外扉側パッキン３３８により２方向（Ａ方向及びＡ方向に対して垂直方向）から密着状態が形成され、気密性が確保された状態となる。
【００２９】
ここで、かご室１０が昇降動作を高速に行う場合、かご室１０内で急な気圧変化が生じる。そしてこの気圧変化の影響により外扉３３２がＡ方向とは逆方向に変位する場合がある。外扉３３２の変位量が、外扉側パッキン３３８が第１の外壁端部３２１に対して押圧する押圧量よりも大きい場合、外扉側パッキン３３８が第１の外壁端部３２１から離れて非接触の状態となり、外扉側パッキン３３８と第１の外壁端部３２１との間に隙間が生じることとなる。すなわち図３に示す状態となる。
【００３０】
しかし本実施の形態においては、外扉３３２がＡ方向とは逆方向に変位して、外扉側パッキン３３８と第１の外壁端部３２１との間に隙間が生じる場合であっても、外扉側パッキン３３８と外壁側パッキン３２３とは互いに密着したまま押圧した状態を維持している。よって外扉３３２が変位して、外扉側パッキン３３８と第１の外壁端部３２１との間に隙間が生じた場合であっても、その隙間を外壁側パッキン３２３が補うことができるため、かご室１０内の気密性を確保することができる。
【００３１】
なお第２の外壁端部３２１に設けられた外壁側パッキン３２３と、外扉３３２の他端に設けられた外扉側パッキン３３８との間においては、外扉３３２がＡ方向に変位した場合にその変位量が、外扉側パッキン３３８が第２の外壁端部３２４に対して押圧する押圧量よりも大きい場合、外扉側パッキン３３８と第２の外壁端部３２４との間に隙間が生じるが、上記説明したようにこの隙間を外壁側パッキン３２３が補うことができる。よってかご室１０内の気密性を確保することができる。
【００３２】
また外扉３３２がＡ方向に対して垂直方向に変位する場合は、外扉３３２の両端部の外扉側パッキン３３８と、第１の外壁端部３２１及び第２の外壁端部３２４との間の密着状態は維持されるので隙間は生じない。よってこの場合においてもかご室１０内の気密性を確保することができる。
【００３３】
図４は、図１のＹ方向から見たときの救出口装置３０の側面構成を示す。救出口装置３０は、上記説明してきたように内壁３１、外壁３２、内扉３３１及び外扉３３２を備え、外壁３２の端部である第１の外壁端部３２１には外壁側パッキン３２３が設けられ、外扉３３２の端部には外扉側パッキン３３８が設けられる。
【００３４】
図５は、救出口装置３０の正面構成を示す。救出口装置３０は、上記説明してきたように外壁３２及び外扉３３２を備え、外壁３２には係止部材３２２が設けられ、外扉３３２には取手３３３及び固定部３３４が設けられる。
【００３５】
（３）本実施の形態による効果
以上のように本実施の形態における救出口装置３０及びエレベーター装置１によれば、かご室１０内の急な気圧変化等により救出扉３３がかご室１０の内側方向又は外側方向に変位して外扉側パッキン３３８と第１の外壁端部３２１との間に隙間が生じた場合であっても、或いは、外扉側パッキン３３８と第２の外壁端部３２４との間に隙間が生じた場合であっても、外扉側パッキン３３８と外壁側パッキン３２３との密着状態を維持するようにしたので、かご室１０の気密性を一定に確保することができる。
【符号の説明】
【００３６】
１        エレベーター装置
１０      かご室
２０      ガイド装置
３０      救出口装置
３２      外壁
３２１    第１の外壁端部
３２３    外壁側パッキン
３３２    外扉
３３８    外扉側パッキン３３８
【図１】
2015157675.tif 000003
【図２】
2015157675.tif 000004
【図３】
2015157675.tif 000005
【図４】
2015157675.tif 000006
【図５】
2015157675.tif 000007